(57)【特許請求の範囲】
【請求項１】
建物の天井または壁に取り付けられる換気グリルにおいて、
前記天井または壁を構成する板材に形成された開口部に挿入され、前記板材に突き当てられるフランジ部を有した本体部と、
前記フランジ部に立設されるガイド部と、
前記ガイド部の延びる方向に沿ってガイドされ、可動する可動部材と、
前記フランジ部に形成された孔部に回転可能に挿入され、前記可動部材にねじ込まれるネジ部材と、
前記可動部材が挿入される軸孔部が形成され、前記可動部材を回動軸に回動可能に支持される固定金具と、
前記可動部材の動きに伴って、前記固定金具に前記可動部材を回動軸として前記板材に向かって回動する方向に力を加える回動誘導手段と、
前記ネジ部材の軸方向の移動を規制する抜け防止部材とを備えた
ことを特徴とする換気グリル。
【請求項２】
前記回動誘導手段は、前記フランジ部に立設される第１の作用点及び第２の作用点を備えると共に、
前記第１の作用点に突き当てられ、前記フランジ部に対して立ち上がった向きの前記固定金具に、前記可動部材の動きに伴って当該可動部材を回動軸に回動させる力を加える第１の回動誘導部と、前記可動部材の動きに伴って前記固定金具が回動すると、前記第２の作用点に突き当てられ、前記可動部材の動きを、前記固定金具の回動に変換する曲面で構成された第２の回動誘導部を、前記固定金具に備えた
ことを特徴とする請求項１記載の換気グリル。
【請求項３】
前記固定金具は、前記可動部材の動きに伴って、前記フランジ部との間に前記板材を挟持する位置まで回動すると、前記第２の作用点に対して前記板材の挟持方向に突き当てられる挟持切り欠き部を備えた
ことを特徴とする請求項１または２記載の換気グリル。
【請求項４】
前記固定金具の前記軸孔部に挿入された前記可動部材は、前記固定金具から突出させた両端が、前記ガイド部材に支持される
ことを特徴とする請求項１、２または３記載の換気グリル。
【請求項５】
前記可動部材にねじ込まれた前記ネジ部材の先端に締結され、前記可動部材の前記ネジ部材からの脱落を防止する抜け防止締結部材を備えた
ことを特徴とする請求項１、２、３または４記載の換気グリル。
【発明の詳細な説明】
【技術分野】
【０００１】
本発明は、建物の天井裏に設置される熱交換型の換気装置や送風装置と空気が通るダクトを介して接続され、空気が吹き出しまたは吸い込まれる換気グリルに関し、特に、換気グリルの取り付け構造に関するものである。
【背景技術】
【０００２】
従来、建物の天井等に取り付けられる換気グリルは、天井を構成する板材に突き当てられるフランジ部分を、木ネジ等で直接取り付ける構成であった。
【０００３】
これに対して、フランジ部分との間に板材を挟持する固定金具を備え、ネジを回すことで固定金具を開閉できるようにした構成が提案されている。
【０００４】
例えば、換気グリルに固定金具を回動可能に支持すると共に、ネジを回すことで可動する可動部材を備え、可動部材の昇降で固定金具を開閉できるようにした換気グリルが提案されている（例えば、特許文献１参照）。
【０００５】
また、ネジを回すことで開閉すると共に昇降する固定金具を備えた換気グリルが提案されている（例えば、特許文献２参照）。
【０００６】
【特許文献１】特許第３２９７５５８号公報
【特許文献２】特許第３７３４９９１号公報
【発明の開示】
【発明が解決しようとする課題】
【０００７】
しかし、特許文献１に示す構成では、固定金具で天井等の板材を挟持した状態で、ネジが換気グリル側に噛み込んでしまうと、換気グリルを取り外すためにネジを緩めると、固定金具を回動させる可動部材の位置は変わらずに、ネジが抜ける方向に移動してしまうので、固定金具が開かない虞があり、その場合は、換気グリルを取り外すことができなくなる虞があった。
【０００８】
また、特許文献２に示す構成では、固定金具で板材を挟持した状態から、換気グリルを取り外すためにネジを緩めたときに、固定金具が閉じずに下降してしまう虞があり、この場合も、換気グリルを取り外すことができなくなる虞があった。
【０００９】
本発明は、このような課題を解決するためになされたもので、設置及び取り外しを確実に行うことができる換気グリルを提供することを目的とする。
【課題を解決するための手段】
【００１０】
上述した課題を解決するため、本発明の換気グリルは、建物の天井または壁に取り付けられる換気グリルにおいて、天井または壁を構成する板材に形成された開口部に挿入され、板材に突き当てられるフランジ部を有した本体部と、フランジ部に立設されるガイド部と、ガイド部の延びる方向に沿ってガイドされ、可動する可動部材と、フランジ部に形成された孔部に回転可能に挿入され、可動部材にねじ込まれるネジ部材と、可動部材が挿入される軸孔部が形成され、可動部材を回動軸に回動可能に支持される固定金具と、可動部材の動きに伴って、固定金具に可動部材を回動軸として板材に向かって回動する方向に力を加える回動誘導手段と、ネジ部材の軸方向の移動を規制する抜け防止部材とを備えたことを特徴とする。
【００１１】
本発明の換気グリルでは、天井または壁等を構成する板材に形成された開口部に、フランジ部に対して固定金具を立ち上がった向きとした本体部が挿入され、ネジ部材が締める方向に回されることで、可動部材の下降に伴って固定金具が回動し、固定金具とフランジ部との間に板材が挟持される。これにより、換気グリルが天井または壁等に取り付けられる。
【００１２】
換気グリルを取り外す場合は、ネジ部材を緩める方向に回して可動部材を上昇させることで、固定金具が回動可能な状態となる。このとき、ネジ部材がフランジ部に噛み込んでいても、ネジ部材を緩めたときにフランジ部から抜ける方向への移動が抜け防止部材によって防止され、噛み込みが解消されて、固定金具が立ち上がる方向への回動が可能な状態とすることができる。
【発明の効果】
【００１３】
本発明の換気グリルによれば、固定金具を回動させるネジ部材を回した時に、固定金具を確実に動作させることができるので、設置及び取り外しを確実に行うことができる。
【発明を実施するための最良の形態】
【００１４】
以下、図面を参照して本発明の換気グリルの実施の形態について説明する。
【００１５】
＜本実施の形態の換気グリルの構成例＞
図１〜図４は、本実施の形態の換気グリルの一例を示す構成図で、図１は、本実施の形態の換気グリル１Ａの側断面図、図２は、換気グリル１Ａの平面図、図３及び図４は、換気グリル１Ａの斜視図である。
【００１６】
本実施の形態の換気グリル１Ａは、例えば、建物の天井裏に設置される図示しない熱交換型の換気装置や送風装置と空気が通るダクトを介して接続されるグリル本体２と、グリル本体２を天井や壁等を構成する板材１０１に取り付ける固定機構３を備える。
【００１７】
グリル本体２は、空気が通る開口部２０と、開口部２０とつながるダクト接続部２０ａと、開口部２０と対向して着脱可能に取り付けられる正面パネル２０ｂと、開口部２０の周縁に形成されたフランジ部２１を備える。
【００１８】
フランジ部２１は、開口部２０を挟んで対向する２箇所に、ガイド部として２本のガイドレール２２が立設される。また、フランジ部２１は、２本のガイドレール２２の内側に、回動誘導手段として第１の作用点２３ａと第２の作用点２３ｂが一体に立設される。更に、フランジ部２１は、２本のガイドレール２２の内側に、ネジ部材としてのネジ４が軸方向をガイドレール２２の立設方向と平行として回転可能に挿入される孔部２４が形成される。
【００１９】
固定機構３は、ガイドレール２２に昇降可能に支持されるナットプレート３０と、ナットプレート３０に回動可能に支持される固定金具３１を備える。
【００２０】
ナットプレート３０は可動部材の一例で、板材の両端にガイドレール２２に嵌められる溝部３０ａが形成されると共に、中央に孔部２４に挿入されたネジ４がねじ込まれるネジ孔が形成される。
【００２１】
固定金具３１は、一端にナットプレート３０が挿入される軸孔部３１ａを備えると共に、他端に押さえ部３１ｂを備える。軸孔部３１ａは、ナットプレート３０が回動可能な径で固定金具３１の対向する２面を貫通して形成され、ナットプレート３０が両端を突出させて挿入される。
【００２２】
また、固定金具３１は、ナットプレート３０の動き、ここでは、ガイドレール２２のガイドによる直線運動を、ナットプレート３０を回動軸とした固定金具３１の回動に変換する回動誘導手段としての第１の回動誘導部３１ｃ及び第２の回動誘導部３１ｄと、板材１０１を挟持する方向に力が加えられるようにする挟持切り欠き部３１ｅを一端側に備える。
【００２３】
第１の回動誘導部３１ｃは、固定金具３１の対向する２面の一部を内側に折り曲げて形成され、ナットプレート３０の直線運動で第１の作用点２３ａに突き当てられて、立ち上がった向きの固定金具３１に、ナットプレート３０を回動軸に回動させる力を加える。
【００２４】
第２の回動誘導部３１ｄは、固定金具３１の対向する２面の一端側の端面に形成され、ナットプレート３０の直線運動に伴って第１の回動誘導部３１ｃが押されることで、固定金具３１が所定量回動すると、第２の作用点２３ｂに突き当てられる。そして、第２の回動誘導部３１ｄは、第２の作用点２３ｂに突き当てられると、ナットプレート３０による直線運動を、固定金具３１の回動に変換する曲面で構成される。
【００２５】
挟持切り欠き部３１ｅは、固定金具３１の対向する２面の一端側の端面に、第２の回動誘導部３１ｄから連続して形成され、ナットプレート３０の直線運動に伴って第２の回動誘導部３１ｃが押されることで、固定金具３１が更に所定量回動すると、第２の作用点２３ｂに嵌る。そして、挟持切り欠き部３１ｅが第２の作用点２３ｂに嵌ると、固定金具３１は、板材１０１の挟持方向に沿った上下方向に第２の作用点２３ｂに突き当てられる。
【００２６】
更に、固定金具３１は、孔部２４に挿入されたネジ４をガイドするガイド部３１ｆを備える。ガイド部３１ｆは、固定金具３１の対向する２面をつなぐ部分の一端側に２本の突起を設けて形成され、突起の間にネジ４が通されて、ネジ４の倒れが抑制される。
【００２７】
グリル本体２のフランジ部２１に形成された孔部２４に挿入されたネジ４は、抜け防止ワッシャ４０が取り付けられる。抜け防止ワッシャ４０は抜け防止部材の一例で、フランジ部２１を挟んでネジ４の軸部分に取り付けられ、ネジ４の軸方向への移動を規制する。
【００２８】
ここで、ネジ４が挿入される孔部２４は、ネジ４の径より大きな内径で開口しており、ネジ４が孔部２４の内周面に噛み込んで、雌ネジが形成されないようにしている。
【００２９】
但し、ネジ４が斜めになってしまった場合等には孔部２４の内周面に噛み込んでしまうことがあるが、抜け防止ワッシャ４０が備えられることで、ネジ４が孔部２４に噛み込んだ場合でも、ネジ４を回したときに軸方向への移動が防止され、噛み込みを解消してネジ４が抜けないようになっている。
【００３０】
また、ナットプレート３０にねじ込まれたネジ４の先端に、抜け防止ナット４１を備える。抜け防止ナット４１は抜け防止締結部材の一例で、ネジ４の先端に締結されており、ネジ４を緩めることでナットプレート３０が直線運動する際に、ナットプレート３０がネジ４から外れることを防止して、ナットプレート３０及び固定金具３１がグリル本体２から外れることが防止される。
【００３１】
＜本実施の形態の換気グリルの施工例＞
図５〜図１３は、本実施の形態の換気グリルの設置例を示す動作説明図である。
【００３２】
まず、図５に示すように、ネジ４を緩めてナットプレート３０を所定位置まで上昇させ、固定金具３１を立ち上がった向きとして、グリル本体２を板材１０１の開口部１０２に挿入し、フランジ部２１を板材１０１に突き当てる。これにより、固定金具３１は、板材１０１の裏側に入る。
【００３３】
グリル本体２のフランジ部２１を板材１０１に突き当てた後、ネジ４を締める方向に回す。ネジ４を締めると、ガイドレール２２にガイドされてナットプレート３０が下降し、ナットプレート３０が軸孔部３１ａに挿入された固定金具３１が、ナットプレート３０の下降に伴って下降する。
【００３４】
固定金具３１が下降すると、まず、固定金具３１の第１の回動誘導部３１ｃが、グリル本体２の第１の作用点２３ａに突き当てられて押し上げられる。これにより、固定金具３１は、図６に示すように、ナットプレート３０と共に下降しながら、ナットプレート３０を回動軸として押さえ部３１ｂが板材１０１に近づく倒れる方向に回動する。
【００３５】
固定金具３１は、ネジ４を更に締めることでナットプレート３０と共に下降すると、第１の回動誘導部３１ｃがグリル本体２の第１の作用点２３ａに押し上げられて更に回動し、図７に示すように、第２の回動誘導部３１ｄが、グリル本体２の第２の作用点２３ｂに突き当てられる。
【００３６】
固定金具３１は、第２の回動誘導部３１ｄがグリル本体２の第２の作用点２３ｄに突き当てられる位置まで下降した状態から、ネジ４が更に締められると、ナットプレート３０が挿入される軸孔部３１ａの位置と、第２の作用点２３ｂが接する第２の回動誘導部３１ｄの曲面の形状から、ナットプレート３０による直線運動が、ナットプレート３０を回動軸とした固定金具３１の回動に変換される。
【００３７】
これにより、固定金具３１は、ネジ４が更に締められると、ナットプレート３０の下降に伴って、第２の回動誘導部３１ｄの曲面がグリル本体２の第２の作用点２３ｂにガイドされて、ナットプレート３０を回動軸に倒れる方向に回動し、図８に示すように、第１の回動誘導部３１ｃがグリル本体２の第１の作用点２３ａから離れる。
【００３８】
固定金具３１は、ネジ４を更に締めることでナットプレート３０を回動軸に回動すると、図９に示すように、グリル本体２の第２の作用点２３ｂとの接触箇所が、第２の回動誘導部３１ｄから挟持切り欠き部３１ｅとなり、ネジ４を締めることによるナットプレート３０の下降に伴って、図１０に示すように、挟持切り欠き部３１ｅがグリル本体２の第２の作用点２３ｂに入る。
【００３９】
固定金具３１は、挟持切り欠き部３１ｅがグリル本体２の第２の作用点２３ｂに入り、ネジ４が更に締められると、図１１に示すように、ナットプレート３０の下降に伴いナットプレート３０を回動軸に回動する。
【００４０】
そして、固定金具３１の押さえ部３１ｂが板材１０１に突き当てられることで、図１２に示すように、グリル本体２は、フランジ部２１と固定金具３１との間に板材１０１を挟みこむ。
【００４１】
これにより、グリル本体２が板材１０１に固定され、グリル本体２に正面パネル２０ｂを取り付けることで、板材１０１に設置された換気グリル１Ａが構成される。
【００４２】
ここで、固定金具３１で板材１０１を挟み込むと、固定金具３１は、挟持切り欠き部３１ｅがグリル本体２の第２の作用点２３ｂに突き当てられる。従って、固定金具３１とグリル本体２の第２の作用点２３ｂは、板材１０１の挟持方向に沿った上下方向で当たり、固定金具３１による板材１０１の押さえ付け力を増加させている。
【００４３】
換気グリル１Ａを板材１０１から取り外す場合は、ネジ４を緩める方向に回す。ネジ４を緩めると、ガイドレール２２にガイドされてナットプレート３０が上昇し、ナットプレート３０が軸孔部３１ａに挿入された固定金具３１が、ナットプレート３０の上昇に伴って上昇する。
【００４４】
固定金具３１は、図１３に示すように、所定の位置まで上昇すると、ナットプレート３０を回動軸とした回動で、第２の回動誘導部３１ｄがグリル本体２の第２の作用点２３ｂに接触せず、自由に回動できるようになる。
【００４５】
これにより、グリル本体２を板材１０１の開口部１０２から抜き取ると、固定金具３１が開口部１０２に当たって矢印方向に立ち上げられ、グリル本体２を板材１０１から取り外すことが可能となる。
【００４６】
ここで、ネジ４が斜めになってしまった場合等には、ネジ４がフランジ部２１に噛み込んでしまう可能性がある。但し、ネジ４に抜け防止ワッシャ４０が備えられることで、ネジ４がフランジ部２１に噛み込んだ場合でも、ネジ４を緩めたときにフランジ部２１から抜ける軸方向への移動が防止され、噛み込みを解消してネジ４が抜けないようになっている。
【００４７】
これにより、ネジ４を緩めると、確実にナットプレート３０が上昇し、固定金具３１を立ち上げることが可能な状態とすることができる。
【００４８】
また、ナットプレート３０は、固定金具３１の軸孔部３１ａに軸方向から挿入され、ナットプレート３０の両端は、ガイドレール２２に支持されている。これにより、固定金具３１は、ナットプレート３０に取り付けるための溝等を、軸孔部３１ａに形成する必要がなく、施工時等に固定金具３１がナットプレート３０から外れることが防止できる。
【００４９】
更に、ナットプレート３０にねじ込まれたネジ４の先端に、抜け防止ナット４１が締結されており、ネジ４を緩めることでナットプレート３０が上昇する際に、ナットプレート３０がネジ４から外れることが防止され、ナットプレート３０及び固定金具３１がグリル本体２から外れることを防止できる。
【００５０】
図１４〜図１６は、本実施の形態の換気グリルの他の設置例を示す動作説明図である。
【００５１】
上述した図５に示すように、固定金具３１が立ち上がった向きでネジ４を締めることで、固定金具３１の第１の回動誘導部３１ｃが、グリル本体２の第１の作用点２３ａに突き当てられて押し上げられる。このときに、図１４に示すように、固定金具３１の傾きが所定量となると、固定金具３１の自重と、軸孔部３１ａの位置関係から、図１５に示すように、固定金具３１がナットプレート３０を回動軸に板材１０１に向かって回動して倒れる場合がある。
【００５２】
このような場合でも、ネジ４を更に締めると、ナットプレート３０の下降に伴って固定金具３１が回動しながら下降することで、図１６に示すように、固定金具３１は、押さえ部３１ｂが板材１０１に接しながら、ナットプレート３０を回動軸に回動して、挟持切り欠き部３１ｅがグリル本体２の第２の作用点２３ｂに入る。
【００５３】
そして、ネジ４を更に締めることで、図１２に示すように、固定金具３１の挟持切り欠き部３１ｅがグリル本体２の第２の作用点２３ｂに突き当てられ、グリル本体２は、フランジ部２１と固定金具３１との間に板材１０１を挟みこみ、板材１０１に固定される。
【産業上の利用可能性】
【００５４】
本発明は、換気装置等にダクトを介して接続される換気グリルに適用される。
【図面の簡単な説明】
【００５５】
【図１】本実施の形態の換気グリルの一例を示す構成図である。
【図２】本実施の形態の換気グリルの一例を示す構成図である。
【図３】本実施の形態の換気グリルの一例を示す構成図である。
【図４】本実施の形態の換気グリルの一例を示す構成図である。
【図５】本実施の形態の換気グリルの設置例を示す動作説明図である。
【図６】本実施の形態の換気グリルの設置例を示す動作説明図である。
【図７】本実施の形態の換気グリルの設置例を示す動作説明図である。
【図８】本実施の形態の換気グリルの設置例を示す動作説明図である。
【図９】本実施の形態の換気グリルの設置例を示す動作説明図である。
【図１０】本実施の形態の換気グリルの設置例を示す動作説明図である。
【図１１】本実施の形態の換気グリルの設置例を示す動作説明図である。
【図１２】本実施の形態の換気グリルの設置例を示す動作説明図である。
【図１３】本実施の形態の換気グリルの設置例を示す動作説明図である。
【図１４】本実施の形態の換気グリルの他の設置例を示す動作説明図である。
【図１５】本実施の形態の換気グリルの他の設置例を示す動作説明図である。
【図１６】本実施の形態の換気グリルの他の設置例を示す動作説明図である。
【符号の説明】
【００５６】
１Ａ・・・換気グリル、２・・・グリル本体、２１・・・フランジ部、２２・・・ガイドレール、２３ａ・・・第１の作用点、２３ｂ・・・第２の作用点、２４・・・孔部、３・・・固定機構、３０・・・ナットプレート、３１・・・固定金具、３１ａ・・・軸孔部、３１ｂ・・・押さえ部、３１ｃ・・・第１の回動誘導部、３１ｄ・・・第２の回動誘導部、３１ｅ・・・挟持切り欠き部、４・・・ネジ、４０・・・抜け防止ワッシャ、４１・・・抜け防止ナット、１０１・・・板材
【図１】
0004900142.tif 000002
【図２】
0004900142.tif 000003
【図３】
0004900142.tif 000004
【図４】
0004900142.tif 000005
【図５】
0004900142.tif 000006
【図６】
0004900142.tif 000007
【図７】
0004900142.tif 000008
【図８】
0004900142.tif 000009
【図９】
0004900142.tif 000010
【図１０】
0004900142.tif 000011
【図１１】
0004900142.tif 000012
【図１２】
0004900142.tif 000013
【図１３】
0004900142.tif 000014
【図１４】
0004900142.tif 000015
【図１５】
0004900142.tif 000016
【図１６】
0004900142.tif 000017